(57)【要約】【課題】使用者が被設置体の表面から液面センサまでの高さを容易に認識することができると同時に、複数設置した場合の設置基準を統一することができる液面センサ装置を提供する。【解決手段】液面センサ装置５１は、液体の液面の位置を検出する液面センサと、端部１６ｃに開口３５が形成され内部に前記液面センサを収容する収容空間が形成された収容体１６と、前記収容体１６の開口３５を覆う蓋部４０と、を備え、前記収容体１６の端部１６ｃには、前記収容体１６の側面から前記収容空間に達するとともに前記収容体１６の軸線方向に延びる切欠き３６が形成され、前記切欠き３６は、前記蓋部４０が前記収容体１６の開口３５を覆った状態で少なくとも一部が前記蓋部４０の外部に露出するように構成されている。【選択図】図２
2020076768.tif 000002
【特許請求の範囲】
【請求項１】
液体の液面の位置を検出する液面センサと、
軸線方向の端部に開口が形成され内部に前記液面センサを収容する収容空間が形成された収容体と、
前記収容体の開口を覆う蓋部と、
を備え、
前記収容体の端部には、前記収容体の側面から前記収容空間に達するとともに前記収容体の軸線方向に延びる切欠きが形成され、
前記切欠きは、前記蓋部が前記収容体の開口を覆った状態で少なくとも一部が前記蓋部の外部に露出するように構成されている
ことを特徴とする液面センサ装置。
【請求項２】
請求項１に記載の液面センサ装置であって、
前記蓋部は着脱可能に取り付けられている
ことを特徴とする液面センサ装置。
【請求項３】
請求項１又は２に記載の液面センサ装置であって、
前記切欠きの幅は前記液面センサのリード線の外径程度である
ことを特徴とする液面センサ装置。
【請求項４】
請求項１から３のいずれか一項に記載の液面センサ装置であって、
前記収容体には、地盤に埋設されない位置に前記収容空間と外部とを連通する連通孔が形成されている
ことを特徴とする液面センサ装置。
【請求項５】
請求項１から４のいずれか一項に記載の液面センサ装置と、
前記液面センサ装置の前記液面センサに接続され、前記液面センサの検出結果に基づいて前記液体を供給する自動給液装置と、
を備えることを特徴とする自動給液システム。
【発明の詳細な説明】
【技術分野】
【０００１】
本発明は、液面センサ装置及び自動給液システムに関する。
【背景技術】
【０００２】
一般に、水田等における農業用水（液体）の水面（液面）位置の管理には、水田等に用水を供給するための自動給水装置（自動給液装置）が用いられる（例えば、特許文献１参照）。
自動給水装置は、水面の位置を検出するフロートスイッチ（液面センサ）等により制御される。フロートスイッチは、水田等の地盤（被設置体）から所望の高さ位置に設置される。フロートスイッチは、水面の位置が変化してフロートが上下に移動するのに伴って、ＯＮ又はＯＦＦする。フロートスイッチは、水面の位置が低下してＯＦＦになると、自動給水装置に設けられた給水栓の開動作を指示する。給水栓が開くことで、水田等に用水が供給される。
フロートスイッチは、水面の位置が上昇してＯＮになると、給水栓の閉動作を指示する。給水栓が閉じることで、水田等への用水の供給が停止する。これにより、水面が所望の位置に保持される。
【０００３】
農家等では、作物の種類や生育状況に合わせた適切な水面の位置となるように、水田ごとに水面の位置を管理している。そのためには、水田に複数のフロートスイッチを設置し、作物の生育に合わせて、フロートスイッチの高さ位置を詳細かつ頻繁に調整する必要がある。
【先行技術文献】
【特許文献】
【０００４】
【特許文献１】特許第３８９７６１９号公報
【発明の概要】
【発明が解決しようとする課題】
【０００５】
しかしながら、フロートスイッチの高さ位置を調整するときに、使用者が被設置体の表面からフロートスイッチまでの高さを認識し難いという問題がある。
また、フロートスイッチを水田に設置する際、被設置体の硬さ等の性質により設置基準にばらつきが生じるため、複数のフロートスイッチを設置する際に設置基準を統一するのが困難である。
【０００６】
本発明は、このような問題点に鑑みてなされたものであって、使用者が被設置体の表面から液面センサまでの高さを容易に認識することができると同時に、複数設置した場合の設置基準を統一することができる液面センサ装置、及びこの液面センサ装置を備える自動給液システムを提供することを目的とする。
【課題を解決するための手段】
【０００７】
上記課題を解決するために、この発明は以下の手段を提案している。
本発明の液面センサ装置は、液体の液面の位置を検出する液面センサと、軸線方向の端部に開口が形成され内部に前記液面センサを収容する収容空間が形成された収容体と、前記収容体の開口を覆う蓋部と、を備え、前記収容体の端部には、前記収容体の側面から前記収容空間に達するとともに前記収容体の軸線方向に延びる切欠きが形成され、前記切欠きは、前記蓋部が前記収容体の開口を覆った状態で少なくとも一部が前記蓋部の外部に露出するように構成されていることを特徴としている。
この発明によれば、液面センサは収容体内に収容されているため、風雨等により液面センサが破損するのを防いだり、ごみ等による液面センサの精度の低下を防いだりすることができる。
また、収容体の開口を覆う蓋部を備え、収容体に形成された切欠きのうち蓋部から露出する部分から、液面センサのリード線等を収容体の外部に引き出すので、収容体内にゴミ等の異物を入りにくくすることができる。
【０００８】
また、上記の液面センサ装置において、前記蓋部は着脱可能に取り付けられていてもよい。
【０００９】
また、上記の液面センサ装置において、前記切欠きの幅は前記液面センサのリード線の外径程度であってもよい。
【００１０】
前記収容体には、地盤に埋設されない位置に前記収容空間と外部とを連通する連通孔が形成されていてもよい。
この発明によれば、液体は、連通孔を通して収容体内に浸入する。液面センサは、収容体内に浸入した液体の液面の位置を検出する。液面センサは収容体内に収容されているため、風雨等により液面センサが破損するのを防いだり、ごみ等による液面センサの精度の低下を防いだりすることができる。
【００１１】
また、本発明の自動給液システムは、上記のいずれかに記載の液面センサ装置と、前記液面センサ装置の前記液面センサに接続され、前記液面センサの検出結果に基づいて前記液体を供給する自動給液装置と、を備えることを特徴としている。
この発明によれば、被設置体の表面から液面センサまでの高さを容易に認識することができると同時に、複数設置した場合の設置基準を統一することができる液面センサ装置を用いて、自動給液装置を安定的に制御することができる。
【発明の効果】
【００１２】
本発明の液面センサ装置及び自動給液システムによれば、使用者が被設置体の表面から液面センサまでの高さを容易に認識することができると同時に、複数設置した場合の設置基準を統一することができる。
【図面の簡単な説明】
【００１３】
【図１】本発明の第１実施形態の自動給液システムを模式的に示す一部を破断した正面図である。
【図２】同自動給液システムの側面図である。
【図３】図１中の切断線Ａ−Ａの断面図である。
【図４】同自動給液システムのセンサガイド及び計測部等の分解図である。
【図５】同自動給液システムのセンサガイドの正面図である。
【図６】同自動給液システムの計測部の正面図である。
【図７】同自動給液システムを水田に設置する手順を示す斜視図である。
【図８】同自動給液システムを水田に設置する手順を示す一部を破断した斜視図である。
【図９】同自動給液システムを水田に設置する手順を示す斜視図である。
【図１０】同自動給液システムを水田の凹部に設置する手順を示す断面図である。
【図１１】複数の同自動給液システムを水田に設置する手順を示す断面図である。
【図１２】本発明の第２実施形態の自動給液システムを模式的に示す一部を破断した正面図である。
【図１３】同自動給液システムを模式的に示す側面図である。
【図１４】同自動給液システムの要部の正面の断面図である。
【図１５】図１４中の切断線Ａ２−Ａ２の断面図である。
【図１６】同自動給液システムの収容パイプの斜視図である。
【図１７】同収容パイプにセンサマウントを取付けた状態を示す斜視図である。
【図１８】同自動給液システムの第一蓋部の底面図である。
【図１９】同自動給液システムを水田の凹部に設置する手順を示す断面図である。
【発明を実施するための形態】
【００１４】
（第１実施形態）
以下、本発明に係る自動給液システムの第１実施形態を、図１から図１１を参照しながら説明する。
図１から図３に示すように、本実施形態の自動給液システム１は、本実施形態の液面センサ装置５１と、液面センサ装置５１の水位センサ（液面センサ）１２に接続された自動給液装置４６と、を備えている。なお、以下の全ての図面は模式的なものであり、自動給液システムの各構成の長さ、幅、及び厚みの比率等は実際のものと同一とは限らず、適宜変更することができる。
【００１５】
液面センサ装置５１は、用水（液体）の液面の位置を検出する前述の水位センサ１２と、水位センサ１２が取付けられるセンサマウント（センサ取付け部）１５と、センサマウント１５が設置されるセンサガイド（支持部）５２と、センサガイド５２に着脱可能な計測部５３と、センサガイド５２の少なくとも一部、水位センサ１２、及びセンサマウント１５を収容する収容空間１６ａが形成された収容パイプ（収容体）１６と、を有している。
【００１６】
水位センサ１２としては、例えば公知のフロート式のセンサを用いることができる。水位センサ１２は、図示はしないがシャフトに通されたフロートを有している。用水に浸されたときにフロートが浮かぶことで、シャフトの内部のスイッチ回路がＯＦＦ状態からＯＮ状態に切り替わる。この例では、液面の位置が水位センサ１２の基準位置１２ａよりも下方から上方に移ったときに、スイッチ回路がＯＦＦ状態からＯＮ状態に切り替わるとする。一方で、液面の位置が水位センサ１２の基準位置１２ａよりも上方から下方に移ったときに、スイッチ回路がＯＮ状態からＯＦＦ状態に切り替わるとする。
水位センサ１２がＯＦＦ状態及びＯＮ状態に切り替わることで、水位センサ１２の基準位置１２ａに用水の液面があることが分かる。
ただし、水位センサ１２の基準位置１２ａはこの位置に限定されず、水位センサ１２の仕様等に応じて適宜設定される。
【００１７】
水位センサ１２には、リード線１９の第一端部が接続されている。リード線１９の長さは、例えば３０ｃｍである。リード線１９の第二端部には、コネクタ２０が設けられている。このコネクタ２０及び後述する自動給液装置４６のコネクタ４８は、防水性を有するコネクタであることが好ましい。
【００１８】
センサガイド５２は、図３から５に示すように、例えば棒状であって、長手方向に直交する断面がＵ字状に形成されている。すなわち、センサガイド５２は、背板５５と、背板５５の各端部から背板５５に直交する方向に延びる一対の側板５６とを有する。一対の側板５６は、対向するように配置されている。センサガイド５２は、ステンレス鋼材を折り曲げること等で形成することができる。
【００１９】
図４及び５に示すように、背板５５には、センサガイド５２の長手方向に延びる一対の貫通孔（接続領域）５５ａ、５５ｂが形成されている。第一貫通孔５５ａ及び第二貫通孔５５ｂは、センサガイド５２の長手方向に長い長孔である。貫通孔５５ａ、５５ｂは、長手方向に間隔を空けて形成されている。第一貫通孔５５ａはセンサガイド５２の第二端部に、第二貫通孔５５ｂはセンサガイド５２の長手方向の中央部に形成されている。例えば、貫通孔５５ａ、５５ｂの長手方向の長さは、１０ｃｍである。
センサガイド５２の第一端部には、先細り部５２ｂが形成されている。先細り部５２ｂでは、一対の側板５６の幅が第一端部の先端に向かうにしたがって狭くなっている。先細り部５２ｂの先端部のなす角度θは、鋭角である。
センサガイド５２に先細り部５２ｂが形成されていることで、後述するようにセンサガイド５２の挿し込み作業が容易になる。
【００２０】
図１に示すように、センサガイド５２は、センサガイド５２の長手方向が収容パイプ１６の軸線Ｃ方向に沿うように配置されている。
センサガイド５２には、前述のセンサマウント１５が設置される。
【００２１】
図６に示すように、例えば、計測部５３は細長い板状（棒状）であってもよい。計測部５３の長手方向の両端部には、係合孔５３ａ、５３ｂが形成されている。計測部５３の長手方向の中間部における表面には、目盛り５８、及び目盛り５８の高さを表す数値５９が記載され（設けられ）ている。
目盛り５８は、主目盛り５８ａ、及び補助目盛り５８ｂ、５８ｃを有している。
【００２２】
主目盛り５８ａは、例えば計測部５３の幅方向に延びる比較的長い直線状の溝であり、計測部５３の長手方向に例えば５ｃｍおきに記載されている。補助目盛り５８ｂ、５８ｃは、計測部５３の幅方向に延びる比較的短い直線状の溝であり、計測部５３の長手方向に例えば１ｃｍおきに記載されている。
数値５９は、鉛直方向の原点である０ｃｍを表す主目盛り５８ａの位置に「０」と記載されている。数値５９は、この０ｃｍを表す主目盛り５８ａの上方に、例えば５ｃｍおきに「５」、「１０」と記載されている。一方で、数値５９は、この０ｃｍを表す主目盛り５８ａの下方に、例えば５ｃｍおきに「−５」、「−１０」と記載されている。
目盛り５８は、計測部５３にプレス加工等により計測部５３の長手方向に沿って形成される。目盛り５８は、水位センサ１２が設置される高さを表す。
計測部５３は、センサガイド５２とは独立して構成されている。言い換えれば、計測部５３は、センサガイド５２とは別体である。
【００２３】
図４に示すように、計測部５３は、センサガイド５２の背板５５の外側の表面に配置される。背板５５の内側の表面には、一対の裏金板６１が配置される。各裏金板６１には、図示しない雌ネジが形成されている。
一対の止めネジ（軸状部材）６２は、計測部５３の係合孔５３ａ、５３ｂに挿入されることで、計測部５３の外面から突出する。一方の止めネジ６２は、第一貫通孔５５ａに挿入されるとともに裏金板６１の雌ネジに螺合する。もう一方の止めネジ６２は、第二貫通孔５５ｂに挿入されるとともに裏金板６１の雌ネジに螺合する。
【００２４】
裏金板６１に各止めネジ６２を締め込んで、裏金板６１及び一対の止めネジ６２で背板５５及び計測部５３を挟み込むことで、センサガイド５２に計測部５３が取付けられる。計測部５３は、センサガイド５２の長手方向に沿うように取付けられる。
なお、一対の止めネジ６２は計測部５３に固定されていてもよい。
一方で、裏金板６１と止めネジ６２との螺合を解除することで、センサガイド５２から計測部５３が取外される。
【００２５】
使用者が、裏金板６１と一対の止めネジ６２との螺合を緩めた状態で、各止めネジ６２が貫通孔５５ａ、５５ｂに挿入される位置をセンサガイド５２の長手方向にずらすと、センサガイド５２に対して計測部５３が長手方向に移動する。この状態で各裏金板６１に止めネジ６２を締め込んで、移動した計測部５３の位置を保持する。
このように、計測部５３は、センサガイド５２に対する長手方向の相対位置の変更が可能なように構成される。
後述するように計測部５３は、計測部５３の長手方向が鉛直方向に沿うように配置される。センサガイド５２の貫通孔５５ａ、５５ｂ、計測部５３の係合孔５３ａ、５３ｂ、裏金板６１、及び止めネジ６２で、センサガイド５２と計測部５３との鉛直方向に沿った相対位置を連続的に変更可能な固定機構６３を構成する。
【００２６】
図１及び図３に示すように、センサマウント１５は、角筒状に形成されたマウント本体２６と、正面視でＬ字状に形成され、マウント本体２６の外面に固定された係合部２７と、マウント本体２６に螺合する止めネジ２８と、を有している。
マウント本体２６は、角筒状の筒孔の内部にセンサガイド５２及び計測部５３が挿入可能である。
係合部２７は、マウント本体２６の外面から水平方向に延びるセンサ固定部を備えている。このセンサ固定部に対して水位センサ１２が、ネジ等により着脱可能に固定されている。なお、係合部２７に水位センサ１２を固定する方法は、これに限定されない。
止めネジ２８は、マウント本体２６の図示しない雌ネジ部に螺合する。マウント本体２６に対して止めネジ２８を回転させることで、マウント本体２６に対する止めネジ２８の相対位置が変化する。これにより、マウント本体２６の筒孔内に突出する止めネジ２８の長さを調節することができる。
【００２７】
センサガイド５２の長手方向において、水位センサ１２の基準位置１２ａとマウント本体２６の下端とが一致していてもよい。このように構成することで、計測部５３の目盛り５８に水位センサ１２の基準位置１２ａを合わせやすくなる。
また、マウント本体２６には、センサガイド５２の長手方向における水位センサ１２の基準位置１２ａに対応する位置にスリットや孔等が形成されていてもよい。使用者がスリット等を通して計測部５３の目盛り５８を視認することで、水位センサ１２の基準位置１２ａを所望の高さに配置することができる。
【００２８】
このように構成されたセンサマウント１５において、使用者は、センサマウント１５の係合部２７に水位センサ１２を取付ける。センサマウント１５のマウント本体２６の筒孔内に、センサガイド５２及び計測部５３を挿入する。計測部５３の目盛り５８に対する水位センサ１２の位置を調節する。具体的には、センサガイド５２の長手方向において、水位センサ１２の基準位置１２ａを、目盛り５８で表示された所望の高さに一致させる。  この状態で止めネジ２８を回転させてセンサガイド５２に止めネジ２８を押し付け、センサガイド５２にマウント本体２６を固定する。
【００２９】
以上の工程を行うことで、計測部５３の目盛り５８の所望の位置に水位センサ１２を固定することができる。
なお、この状態においても、固定機構６３の止めネジ６２を緩めることで、センサガイド５２に対して計測部５３を長手方向に移動させることができる。
目盛り５８に対する水位センサ１２の位置を調節するには、センサガイド５２から止めネジ２８が離間するように止めネジ２８を回転させ、センサガイド５２に対するマウント本体２６の固定を解除する。その後、センサガイド５２に対してマウント本体２６をセンサガイド５２の長手方向に沿って移動させる。再び止めネジ２８を回転させて、センサガイド５２に止めネジ２８を押し付け、センサガイド５２にマウント本体２６を固定する。
【００３０】
図１及び図３に示すように、収容パイプ１６は、塩化ビニル等の樹脂や金属により円筒状に形成されている。なお、収容パイプ１６の軸線Ｃに直交する断面における縁部の形状は、円形に限られず、楕円形、多角形等でもよい。
収容パイプ１６の筒孔が、前述の収容空間１６ａである。収容パイプ１６の軸線Ｃ方向の第一端部１６ｂには、開口３１が形成されている。
収容パイプ１６の軸線Ｃ方向の第一端部１６ｂである地面差込み部には、収容パイプ１６の側面１６ｄから収容空間１６ａに達する第一切欠き３２が形成されている。第一切欠き３２は、収容パイプ１６の軸線Ｃ方向の端面から軸線Ｃ方向に所定の長さ延びている。第一切欠き３２は、収容パイプ１６の周方向に半周以上にわたって形成されている。
第一切欠き３２を形成することで収容パイプ１６の第一端部１６ｂに形成される突部３３は、収容パイプ１６の周方向の一部に形成されている。
【００３１】
図１及び図２に示すように、収容パイプ１６の軸線Ｃ方向の第二端部１６ｃには、開口３５が形成されている。収容パイプ１６の第二端部１６ｃには、収容パイプ１６の側面１６ｄから収容空間１６ａに達する第二切欠き（切欠き）３６が形成されている。第二切欠き３６は、収容パイプ１６の軸線Ｃ方向の端面から軸線Ｃ方向に所定の長さ延びている。第二切欠き３６の幅は、自動給液装置４６の後述するリード線４７の外径程度である。
収容パイプ１６の側面１６ｄには、収容パイプ１６を貫通する複数の第二連通孔（連通孔）３７が形成されている。各第二連通孔３７は、収容パイプ１６の外部と収容空間１６ａ（内部）との間で用水を流通させる。複数の第二連通孔３７は、収容パイプ１６の軸線Ｃ周りに互いに間隔を空けて形成されている。複数の第二連通孔３７は、収容パイプ１６の軸線Ｃ方向に互いに間隔を空けて形成されている。
【００３２】
本実施形態の液面センサ装置５１は、第二蓋部（蓋部）４０を備える。第二蓋部４０は、収容パイプ１６の第二端部１６ｃに着脱可能に取付けられ、収容パイプ１６の開口３５を覆う。第二蓋部４０は、円板状の蓋本体４１と、蓋本体４１の縁部に蓋本体４１の全周にわたり立設された外縁部４２とを有している。外縁部４２の内径は、収容パイプ１６の外径よりも大きい。図２に示すように、外縁部４２の軸線Ｃ方向の長さＬ１は、第二切欠き３６の軸線Ｃ方向の長さＬ２よりも短い。このため、第二切欠き３６の一部は、収容パイプ１６に第二蓋部４０を取付けたときに第二蓋部４０に覆われない。第二蓋部４０から第二蓋部４０の外部に露出した第二切欠き３６の一部により、通し部３６ａが形成される。
【００３３】
自動給液装置４６は公知の構成のものであり、図示しない給水ポンプや制御部等を備えている。制御部には、図１に示すリード線４７の第一端部が接続されている。リード線４７は、収容パイプ１６の通し部３６ａを通る。
リード線４７の第二端部には、コネクタ４８が設けられている。コネクタ４８は、水位センサ１２に接続されたコネクタ２０に着脱可能である。
制御部は、水位センサ１２がＯＦＦ状態であるときには、給水ポンプを駆動して用水を供給する。一方で、制御部は、水位センサ１２がＯＮ状態であるときには、給水ポンプを停止させる。このように、制御部は、水位センサ１２の検出結果に基づいて用水を水田等の被供給体に供給する。
【００３４】
次に、以上のように構成された自動給液システム１を水田の平坦な地盤に設置する手順について説明する。
予め、センサガイド５２の長手方向における所定の位置に固定機構６３により計測部５３を取付けておく。
まず、図７に示すように、使用者はセンサガイド５２及び計測部５３にセンサマウント１５を取付け、センサマウント１５の係合部２７に水位センサ１２を取付ける。
次に、水田Ｆの地盤（被設置体）Ｆ１にセンサガイド５２の第一端部を挿し込む（挿入する）。センサガイド５２は棒状に形成され、しかもセンサガイド５２の第一端部には先細り部５２ｂが形成されているため、地盤Ｆ１にセンサガイド５２の第一端部を容易に挿し込むことができる。
なお、地盤Ｆ１にセンサガイド５２を取付けてから、このセンサガイド５２にセンサマウント１５及び水位センサ１２を取付けてもよい。
【００３５】
地盤Ｆ１にセンサガイド５２を挿し込むときに、センサガイド５２の長手方向が鉛直方向に平行になるようにする。さらに、図１に示すように、目盛り５８の「０」の数値５９が記載された主目盛り５８ａが、地盤Ｆ１の表面に一致するようにする。この場合、地盤Ｆ１の表面から用水の液面までの高さと、目盛り５８による高さの表示とが一致する。
【００３６】
次に、止めネジ２８を回転させて、センサガイド５２から止めネジ２８を離間させる。センサガイド５２に対してマウント本体２６をセンサガイド５２の長手方向に移動させ、計測部５３の目盛り５８に対する水位センサ１２の位置を調節する。目盛り１３は水位センサ１２が設置される高さを表すため、使用者は地盤Ｆ１の表面から水位センサ１２までの高さが容易にわかる。
例えば、センサガイド５２の長手方向における水位センサ１２の基準位置１２ａを８．５ｃｍに対応する補助目盛り５８ｃに合わせる。
この状態で止めネジ２８を回転させてセンサガイド１４に止めネジ２８を押し付け、センサガイド５２にマウント本体２６を固定する。
【００３７】
なお、地盤Ｆ１の表面に一致させる目盛りは、「０」の数値５９が記載された主目盛り５８ａに限定されず、他の主目盛り５８ａや補助目盛り５８ｂ、５８ｃ等でもよい。この場合には、使用者は、「０」の数値５９が記載された主目盛り５８ａに対する地盤Ｆ１の表面に一致させた他の主目盛り５８ａ等の位置を補正値として記憶する。この補正値を考慮して、センサガイド５２の長手方向における水位センサ１２の基準位置１２ａを、所望の目盛り５８に合わせる。
例えば、２ｃｍを表す補助目盛り５８ｂを地盤Ｆ１の表面に一致させたときに、地盤Ｆ１の表面から５ｃｍの高さに水位センサ１２の基準位置１２ａを配置する場合について説明する。この場合には補正値は２ｃｍとなり、所望の水位センサ１２の高さである５ｃｍに補正値の２ｃｍを加えた７ｃｍに対応する補助目盛り５８ｂに水位センサ１２の基準位置１２ａを合わせる。
【００３８】
次に、図８に示すように、センサガイド５２の少なくとも一部、水位センサ１２、及びセンサマウント１５を囲うように収容パイプ１６を配置する。地盤Ｆ１に収容パイプ１６の突部３３を挿し込む。このとき、センサガイド５２の少なくとも一部、水位センサ１２、及びセンサマウント１５が、収容パイプ１６の収容空間１６ａ内に収容される。泥土等の付着物が、収容パイプ１６の第一端部１６ｂの収容空間１６ａ内に入る。地盤Ｆ１に収容パイプ１６を挿し込んだときに、収容パイプ１６の開口３１の全体が地盤Ｆ１により塞がれる。
収容パイプ１６が円柱状ではなく中空の円筒状に形成されているため、収容パイプ１６を軸線Ｃ方向に沿って地盤Ｆ１に挿し込むことにより、地盤Ｆ１から受ける抵抗を抑えて挿し込みやすくなる。
【００３９】
後述するように水位センサ１２の高さを変更するときには、地盤Ｆ１から収容パイプ１６を抜き取る。このため、地盤Ｆ１に収容パイプ１６を挿し込む深さは、地盤Ｆ１にセンサガイド５２を挿し込む深さに比べて例えば７０ｍｍほど短い。
使用者は、自動給液装置４６のコネクタ４８と水位センサ１２のコネクタ２０とを接続する。収容パイプ１６の第二切欠き３６に、自動給液装置４６のリード線４７を通す。
【００４０】
次に、図９に示すように、収容パイプ１６の第二端部１６ｃに第二蓋部４０を取付ける。収容パイプ１６に第二蓋部４０を取付けることで、ゴミ等の異物が収容パイプ１６内に入りにくくなる。
このとき、第二切欠き３６には第二蓋部４０から露出した通し部３６ａが形成されるため、第二切欠き３６の通し部３６ａからリード線４７が収容パイプ１６の外部に引き出される。
以上の工程により、水田Ｆの平坦な地盤Ｆ１に自動給液システム１が設置される。
【００４１】
次に、自動給液システム１を水田Ｆの凹んだ地盤Ｆ１に設置する手順について説明する。
まず、図１０に示すように、地盤Ｆ１に凹部Ｆ２を形成する。凹部Ｆ２の底面にセンサガイド５２の第一端部を挿し込む。このとき、センサガイド５２の長手方向が鉛直方向に平行になるようにする。目盛り５８の「０」の数値５９が記載された主目盛り５８ａが、地盤Ｆ１の凹部Ｆ２以外の表面に一致するようにする。センサガイド５２の長手方向において、水位センサ１２の基準位置１２ａを、例えば−５ｃｍに対応する主目盛り５８ａに合わせる。センサガイド５２にセンサマウント１５及び水位センサ１２を固定する。
凹部Ｆ２の底面に収容パイプ１６を挿し込み、収容パイプ１６でセンサガイド５２等を囲う。自動給液装置４６のコネクタ４８及びリード線４７を前述のように処理し、収容パイプ１６に第二蓋部４０を取付ける。
以上の工程により、凹部Ｆ２の底面に自動給液システム１が設置される。
【００４２】
このように自動給液システム１を設置すると、地盤Ｆ１の凹部Ｆ２以外の表面から５ｃｍ下方の位置に用水の液面の高さが保たれる。
【００４３】
次に、水位センサ１２の高さを変更する手順について説明する。
まず、使用者は、収容パイプ１６から第二蓋部４０を取外す。収容パイプ１６の第二切欠き３６から自動給液装置４６のリード線４７を外す。自動給液装置４６のコネクタ４８と水位センサ１２のコネクタ２０との接続を解除する。
地盤Ｆ１から収容パイプ１６を抜き取る。収容パイプ１６の第一端部１６ｂから収容空間１６ａ内に入った泥土等の付着物は、第一端部１６ｂに第一切欠き３２が形成されていることで、収容空間１６ａ内に保持されにくくなる。したがって、地盤Ｆ１から収容パイプ１６を抜き取るときに収容パイプ１６の第一端部１６ｂに付着物が残ったまま収容パイプ１６が持ち上げられるのが抑えられる。
【００４４】
次に、センサガイド５２から止めネジ２８が離間するように止めネジ２８を回転させ、センサガイド５２に対してマウント本体２６をセンサガイド５２の長手方向に沿って移動させる。センサガイド５２の長手方向における水位センサ１２の基準位置１２ａを、新たな所望の目盛り５８に合わせる。
再び止めネジ２８を回転させて、センサガイド５２に止めネジ２８を押し付け、センサガイド５２に水位センサ１２を固定する。
地盤Ｆ１に収容パイプ１６を挿し込み、収容パイプ１６でセンサガイド５２等を囲う。自動給液装置４６のコネクタ４８及びリード線４７を前述のように処理し、収容パイプ１６に第二蓋部４０を取付ける。
以上の工程により、水位センサ１２の高さが変更される。
【００４５】
次に、自動給液システム１の動作について説明する。
例えば、図１及び図２に示すように、用水の液面の位置Ｌ６が水位センサ１２の基準位置１２ａを合わせた８．５ｃｍに対応する補助目盛り５８ｃよりも下方である場合で説明する。
この場合、用水は、収容パイプ１６の第二連通孔３７を通って収容パイプ１６の収容空間１６ａ内に浸入する。用水の水面に枯れ草等の浮遊物Ｆ６が浮かんでいる場合がある。この場合でも、複数の第二連通孔３７が軸線Ｃ周りに互いに間隔を空けて形成されていることで、複数の第二連通孔３７の一部が浮遊物Ｆ６により詰まっても、残部の全てが詰まる可能性は小さい。したがって、複数の第二連通孔３７が完全には詰まりにくくなる。  また、複数の第二連通孔３７が軸線Ｃ方向に互いに間隔を空けて形成されていることで、液面の軸線Ｃ方向の位置によらず、第二連通孔３７を通して収容空間１６ａ内に用水が浸入しやすくなる。
収容パイプ１６の収容空間１６ａ内にセンサガイド５２の少なくとも一部、水位センサ１２、及びセンサマウント１５が収容されているため、風雨等により水位センサ１２が破損したり、センサガイド５２に対して水位センサ１２が位置ずれしたりしにくくなる。
【００４６】
用水の液面の位置Ｌ６が水位センサ１２の基準位置１２ａよりも下方であるので、水位センサ１２はＯＦＦ状態になる。制御部は、給水ポンプを駆動して用水を水田Ｆに供給する。用水が水田Ｆに供給されると、用水の液面の位置Ｌ６が上昇する。
図１に示すように、用水の液面の位置Ｌ７が８．５ｃｍに対応する補助目盛り５８ｃに達すると、水位センサ１２はＯＮ状態になる。制御部は、給水ポンプを停止させる。
【００４７】
給水ポンプが停止してから一定の時間が経過すると、用水が蒸発する等して用水の液面の位置Ｌ７が下降する。水位センサ１２はＯＦＦ状態になり、制御部は給水ポンプを駆動して用水を水田Ｆに供給する。
このように、水位センサ１２が用水の液面の位置を検出し、水位センサ１２の検出結果に基づいて自動給液装置４６が水田Ｆに用水を供給することで、地盤Ｆ１の表面から用水の液面までの高さが約８．５ｃｍに保たれる。
【００４８】
次に、複数の自動給液システム１を水田の平坦な地盤Ｆ１に設置する手順について説明する。
この例では、図１１に示すように、地盤Ｆ１に自動給液システム１を複数（以下、自動給液システム１Ａ、１Ｂと呼ぶ）設置する場合で説明する。自動給液システム１Ａの構成については、各構成の符号に英大文字「Ａ」を付加することで示す。同様に、自動給液システム１Ｂの構成については、各構成の符号に英大文字「Ｂ」を付加することで示す。  使用者は、各センサガイド５２Ａ、５２Ｂにセンサマウント１５Ａ、１５Ｂ及び水位センサ１２Ａ、１２Ｂを取付ける。水田Ｆの地盤Ｆ１にセンサガイド５２Ａ、５２Ｂの第一端部を挿し込む。センサガイド５２Ａ、５２Ｂは、長手方向が鉛直方向に平行になるように挿し込む。
このとき、地盤Ｆ１の硬さが場所により異なること等により、センサガイド５２Ａよりもセンサガイド５２Ｂの方が深く挿し込まれたとする。
【００４９】
地盤Ｆ１に挿し込んだセンサガイド５２Ａ、５２Ｂの位置は変えずに、センサガイド５２Ａ、５２Ｂに対して計測部５３Ａ、５３Ｂを長手方向に移動させて、計測部５３Ａ、５３Ｂの目盛り５８Ａ、５８Ｂの設置基準である高さを統一する。具体的には、平坦な地盤Ｆ１の表面に、計測部５３Ａ、５３Ｂの目盛り５８Ａ、５８Ｂの「０」の数値５９Ａ、５９Ｂが記載された主目盛り５８ａＡ、５８ａＢ（以下、零点と呼ぶ）等の高さを合せる。  なお、用水の液面の位置等に計測部５３Ａ、５３Ｂの零点等の高さを合せてもよい。  このように、センサガイド５２Ａ、５２Ｂに対して計測部５３Ａ、５３Ｂを長手方向に移動させることで、自動給液システム１Ａ、１Ｂを設置する位置によらず、計測部５３Ａ、５３Ｂの目盛り５８Ａ、５８Ｂの零点の高さが揃う。
【００５０】
以下、自動給液システム１Ａ、１Ｂに対して行う手順は、前述の手順と同様なので説明を省略する。
【００５１】
以上説明したように、本実施形態の液面センサ装置５１によれば、使用者は、地盤Ｆ１にセンサガイド５２を設置する。センサガイド５２に取付けられた計測部５３に目盛り５８が記載されているため、地盤Ｆ１の表面から水位センサ１２までの高さを容易に認識することができる。
また、基準となる計測部５３の位置をセンサガイド５２に対して調節できるため、地盤Ｆ１の硬さ等の性質に影響されず、地盤Ｆ１の表面等の同一の高さの基準を目盛り５８の零点として定められる。したがって、地盤Ｆ１に液面センサ装置５１を複数設置した場合に、計測部５３の高さの設置基準を統一することができる。
【００５２】
液面センサ装置５１が収容パイプ１６を備えることで、風雨等により水位センサ１２が破損したり、センサガイド５２に対して水位センサ１２が位置ずれしたりしにくくすることができる。ごみ等による水位センサ１２の精度の低下を防ぐことができる。
収容パイプ１６は筒状に形成されている。そして、センサガイド５２は棒状に形成され、センサガイド５２は、センサガイド５２の長手方向が収容パイプ１６の軸線Ｃ方向に沿うように配置されている。収容パイプ１６は筒状であってセンサガイド５２は棒状であるため、地盤Ｆ１に収容パイプ１６及びセンサガイド５２を軸線Ｃ方向に挿し込みやすくすることができる。
【００５３】
収容パイプ１６の第一端部１６ｂの収容空間１６ａ内に入った泥土等の付着物は、第一端部１６ｂに第一切欠き３２が形成されていることで、収容空間１６ａ内に保持されにくくなる。したがって、地盤Ｆ１から収容パイプ１６を抜き取るときに収容パイプ１６の第一端部１６ｂに泥土等が残ったまま収容パイプ１６が持ち上げられるのを抑えることができる。
液面センサ装置５１が第二蓋部４０を備えることで、ゴミ等の異物を収容パイプ１６内に入りにくくすることができる。
第二蓋部４０から露出した通し部３６ａがある第二切欠き３６が形成されていることで、通し部３６ａから自動給液装置４６のリード線４７を収容パイプ１６の外部に引き出すことができる。
【００５４】
液面センサ装置５１が固定機構６３を備えることで、センサガイド５２と計測部５３との鉛直方向（センサガイド５２の長手方向）に沿った相対位置を連続的に変更することができる。固定機構６３を構成するセンサガイド５２の貫通孔５５ａ、５５ｂ、計測部５３の係合孔５３ａ、５３ｂ、裏金板６１、及び止めネジ６２という簡単な構成で、センサガイド５２に対して計測部５３を鉛直方向に沿って移動させることができる。
計測部５３の表面に数値５９が記載されていることで、使用者は目盛り５８の高さの値を容易に認識することができる。
【００５５】
複数の第二連通孔３７が軸線Ｃ周りに互いに間隔を空けて形成されているため、用水の液面に浮かんだ浮遊物Ｆ６等により複数の第二連通孔３７の一部が詰まっても、複数の第二連通孔３７の残部の全てが詰まる可能性は小さい。したがって、複数の第二連通孔３７の残部により用水を通すことができる。
また、本実施形態の自動給液システム１によれば、使用者が地盤Ｆ１の表面から水位センサ１２までの高さを容易に認識することができると同時に、複数設置した場合の計測部５３の高さの設置基準を統一することができる液面センサ装置５１を用いて、自動給液装置４６を安定的に制御することができる。
【００５６】
なお、本実施形態では、接続領域は貫通孔５５ａ、５５ｂであるとした。しかし、接続領域はこれに限定されず、背板５５に形成される切欠き等であってもよい。
計測部５３に数値５９が記載されていなくてもよい。数値５９が記載されていなくても、使用者は目盛り５８が意味する高さを認識することができるからである。
固定機構６３が、センサガイド５２の貫通孔５５ａ、５５ｂ、計測部５３の係合孔５３ａ、５３ｂ、裏金板６１、及び止めネジ６２で構成されるとした。しかし、固定機構はこれに限定されない。固定機構は、センサガイド５２及び計測部５３のそれぞれに固定され、互いに着脱可能な磁石や面ファスナーでもよい。固定機構は、センサガイド５２及び計測部５３の一方に固定され、他方に着脱可能な接着テープでもよい。
センサマウント１５は、センサガイド５２に固定されていてもよい。この場合、センサガイド５２に設置される水位センサ１２をセンサガイド５２の長手方向に移動させることができなくなる。
【００５７】
（第２実施形態）
次に、本発明の第２実施形態について図１２から１９を参照しながら説明するが、前記実施形態と同一の部位には同一の符号を付してその説明は省略し、異なる点についてのみ説明する。
図１２及び１３に示すように、本実施形態の自動給液システム２は、第１実施形態の自動給液システム１の液面センサ装置５１に代えて、本実施形態の液面センサ装置７１を備えている。
液面センサ装置７１は、液面センサ装置５１のセンサマウント１５、収容パイプ１６、及び第二蓋部４０に代えて、センサマウント７３、収容パイプ７４、第二蓋部７５、及び第一蓋部７６を備えている。
【００５８】
図１４及び１５に示すように、センサマウント７３は、センサマウント１５の各構成に加えて、センサマウント１５のセンサ固定部から下方に向かって延びる一対の狭持片７８を有している。一対の狭持片７８は、補助固定部７９を構成する。一対の狭持片７８は、マウント本体２６からセンサ固定部が延びる方向に間隔を空けて配置されている。後述するように、補助固定部７９は、センサマウント７３に収容パイプ７４を取付けるためのものである。
【００５９】
図１６に示すように、収容パイプ７４は、塩化ビニル等の樹脂や金属により円筒状に形成されている。収容パイプ７４の上端部となる軸線Ｃ２方向の第二端部には、収容パイプ７４の側面から収容パイプ７４の収容空間に達する案内切欠き８２が形成されている。案内切欠き８２は、収容パイプ７４の第二端部の端面から軸線Ｃ２方向に所定の長さ延びている。案内切欠き８２の幅は、センサマウント７３の係合部２７の幅よりも長い。
なお、例えば、本実施形態で用いられる水位センサ１２に接続されるリード線１９の長さは、３５ｃｍである。
収容パイプ７４には、案内切欠き８２の底面から収容パイプ７４の周方向に延びる固定切欠き（固定部）８３が形成されている。固定切欠き８３は、収容パイプ７４の側面から収容パイプ７４の収容空間に達する。固定切欠き８３は、案内切欠き８２に接続されている。
【００６０】
収容パイプ７４の第二端部には、前述の第二切欠き３６と同様に第二切欠き８４が形成されている。第二切欠き８４は、案内切欠き８２とは周方向に位置をずらして配置されている。第二切欠き８４は、収容パイプ７４の第二端部の端面から軸線Ｃ２方向に所定の長さ延びている。第二切欠き８４の幅は、コネクタ２０に接続されたリード線１９の外径程度である。
なお、収容パイプ７４の第一端部に、第二切欠き８４と同様の切欠きが形成されてもよい。
図１４に示すように、収容パイプ７４には、収容パイプ７４の外部と内部とをつなぐ第二連通孔８５が形成されている。この例では、第二連通孔８５は、収容パイプ７４の軸線Ｃ２周りに間隔を空けて複数形成されている。
【００６１】
ここで、このように構成された収容パイプ７４にセンサマウント７３を取付ける手順について説明する。センサマウント７３には、予め水位センサ１２が固定されているものとする。
図１７に示すように、収容パイプ７４の収容空間に水位センサ１２を配置するとともに、収容パイプ７４の案内切欠き８２内の位置Ｐ１にセンサマウント７３の係合部２７を配置する。収容パイプ７４における案内切欠き８２の縁部が、補助固定部７９の一対の狭持片７８により挟み込まれる。収容パイプ７４に対してセンサマウント７３を軸線Ｃ２周りの一方に回転させて、収容パイプ７４の固定切欠き８３内にセンサマウント７３の係合部２７を配置する。これにより、収容パイプ７４にセンサマウント７３が取付けられる。このように、固定切欠き８３及び補助固定部７９は、センサマウント７３を収容パイプ７４に固定する。
【００６２】
図１２に示すように、センサガイド５２にセンサマウント７３を固定すると、収容パイプ７４は、軸線Ｃ２がセンサガイド５２の長手方向に沿うように配置される。
収容パイプ７４は、センサマウント７３の一部及び水位センサ１２を収容する。収容パイプ７４は、センサマウント７３を介してセンサガイド５２に着脱可能である。
【００６３】
一方で、収容パイプ７４からセンサマウント７３が取外すには、収容パイプ７４に対してセンサマウント７３を軸線Ｃ２周りの他方に回転させる。収容パイプ７４の案内切欠き８２内から、センサマウント７３を取外す。
【００６４】
図１４に示すように、第二蓋部７５は、前述の第二蓋部４０とは大きさのみが異なる。第二蓋部７５は、円板状の蓋本体８８と、蓋本体８８の縁部に蓋本体８８の全周にわたり立設された外縁部８９とを有している。外縁部８９の内径は、収容パイプ７４の外径よりも大きい。第二蓋部７５は、収容パイプ７４の第二端部に着脱可能に取付けられる。第二蓋部７５は、収容パイプ７４の第二端部に形成された開口を覆う。
【００６５】
図１４及び１８に示すように、第一蓋部７６は、円板状の蓋本体９２と、蓋本体９２の縁部に蓋本体９２の全周にわたり立設された外縁部９３とを有している。蓋本体９２には、収容パイプ７４の外部と内部とをつなぐ第一連通孔９２ａが形成されている。
外縁部９３の内径は、収容パイプ７４の外径よりも大きい。第一蓋部７６は、収容パイプ７４の第一端部に着脱可能に取付けられる。第一蓋部７６は、収容パイプ７４の第一端部に形成された開口を覆う。
【００６６】
この例では、収容パイプ７４の第二切欠き８４に水位センサ１２のリード線１９が通されている。
図１２に示すように、自動給液装置４６、及び互いに接続されたコネクタ２０、４８は、ケーシング９６に収容されている。
【００６７】
次に、以上のように構成された自動給液システム２を地盤Ｆ１の凹部Ｆ２に設置する手順について説明する。
まず、使用者は、図１９に示すように、センサガイド５２にセンサマウント７３及び水位センサ１２を取付ける。収容パイプ７４で水位センサ１２等を囲う。前述のように、センサマウント７３に収容パイプ７４を取付ける。収容パイプ７４の第二切欠き８４に、水位センサ１２のリード線１９を通す。収容パイプ７４に、第一蓋部７６及び第二蓋部７５を取付ける。
地盤Ｆ１に形成した凹部Ｆ２の底面にセンサガイド５２の第一端部を挿し込む。自動給液装置４６のコネクタ４８と水位センサ１２のコネクタ２０とを接続する。互いに接続したコネクタ２０、４８、及び自動給液装置４６をケーシング９６に収容する。
以上の工程により、凹部Ｆ２の底面に自動給液システム２が設置される。
用水は、第一蓋部７６の第一連通孔９２ａ及び収容パイプ７４の第二連通孔８５を通って、収容パイプ７４の収容空間内に浸入したり、収容パイプ７４から外部に流れ出たりする。
【００６８】
なお、水位センサ１２の位置を調節するときには、収容パイプ７４内に水位センサ１２を収容したまま、センサガイド５２に対してセンサマウント７３を鉛直方向に移動させてもよい。
【００６９】
以上説明したように、本実施形態の液面センサ装置７１によれば、使用者が地盤Ｆ１の凹部Ｆ２の底面から水位センサ１２までの高さを容易に認識することができる。
液面センサ装置７１が収容パイプ７４を備えることで、風雨等により水位センサ１２が破損するのを防いだり、ごみ等による水位センサ１２の精度の低下を防いだりすることができる。
液面センサ装置７１が第一蓋部７６を備えることで、収容パイプ７４内にゴミ等の異物を入りにくくすることができる。
【００７０】
以上、本発明の第１実施形態及び第２実施形態について図面を参照して詳述したが、具体的な構成はこの実施形態に限られるものではなく、本発明の要旨を逸脱しない範囲の構成の変更、組み合わせ、削除等も含まれる。さらに、各実施形態で示した構成のそれぞれを適宜組み合わせて利用できることは、言うまでもない。
例えば、前記第１実施形態及び第２実施形態では、収容パイプに形成される第二連通孔の数は、複数でなく１つでもよい。
【００７１】
収容パイプ１６の第二切欠き３６の通し部３６ａが第二蓋部４０から露出するとしたが、第二切欠き３６に重なるように第二蓋部４０の外縁部４２に切欠きが形成されること等により、第二切欠き３６の全体が第二蓋部４０から露出するように構成してもよい。第２実施形態についても、同様である。
液面センサ装置を設置する場所の周囲にゴミ等が少ない場合等には、液面センサ装置は蓋部を備えなくてもよい。
収容パイプ１６の第一端部１６ｂに泥土等が付着しても問題がない場合には、収容パイプ１６に第一切欠き３２が形成されなくてもよい。
収容体は筒状に形成されているとしたが、収容体は球殻状や箱状等に形成されていてもよい。
【００７２】
液面センサ装置に作用する風雨等の影響が充分小さいことが分かっている場合等には、液面センサ装置は収容パイプを備えなくてもよい。
液体は用水に限られず、水、純水、水溶液やブライン等でもよい。
自動給液装置４６による給液方法は給水ポンプの駆動に限らず、給水バルブの開閉等であってもよい。
【符号の説明】
【００７３】
１、２  自動給液システム
５１、７１  液面センサ装置
１２  水位センサ（液面センサ）
５８  目盛り
５２  センサガイド（支持部）
１５、７３  センサマウント（センサ取付け部）
１６、７４  収容パイプ（収容体）
１６ｂ  第一端部
１６ｃ  第二端部
３２  第一切欠き
３６  第二切欠き（切欠き）
３７、８５  第二連通孔（連通孔）
４０、７５  第二蓋部（蓋部）
４６  自動給液装置
５３  計測部
５９  数値
６３  固定機構
７６  第一蓋部
９２ａ  第一連通孔
Ｃ、Ｃ２  軸線
【図１】
2020076768.tif 000003
【図２】
2020076768.tif 000004
【図３】
2020076768.tif 000005
【図４】
2020076768.tif 000006
【図５】
2020076768.tif 000007
【図６】
2020076768.tif 000008
【図７】
2020076768.tif 000009
【図８】
2020076768.tif 000010
【図９】
2020076768.tif 000011
【図１０】
2020076768.tif 000012
【図１１】
2020076768.tif 000013
【図１２】
2020076768.tif 000014
【図１３】
2020076768.tif 000015
【図１４】
2020076768.tif 000016
【図１５】
2020076768.tif 000017
【図１６】
2020076768.tif 000018
【図１７】
2020076768.tif 000019
【図１８】
2020076768.tif 000020
【図１９】
2020076768.tif 000021
【手続補正書】
【提出日】令和2年2月7日(2020.2.7)
【手続補正１】
【補正対象書類名】特許請求の範囲
【補正対象項目名】全文
【補正方法】変更
【補正の内容】
【特許請求の範囲】
【請求項１】
液体の液面の位置を検出する液面センサと、
前記液面センサに接続されるリード線と、
軸線方向の端部に開口が形成され内部に前記液面センサを収容する収容空間が形成された収容体と、
前記収容体の開口を覆う蓋部と、
を備え、
前記収容体の端部には、前記収容体の側面から前記収容空間に達するとともに前記収容体の軸線方向に延びる切欠きが形成され、
前記切欠きは、前記蓋部が前記収容体の開口を覆った状態で少なくとも一部が前記蓋部の外部に露出し、前記リード線が前記収容体の外部に引き出されている
ことを特徴とする液面センサ装置。
【請求項２】
請求項１に記載の液面センサ装置であって、
前記蓋部は着脱可能に取り付けられている
ことを特徴とする液面センサ装置。
【請求項３】
請求項１又は２に記載の液面センサ装置であって、
前記切欠きの幅は前記液面センサのリード線の外径程度である
ことを特徴とする液面センサ装置。
【請求項４】
請求項１から３のいずれか一項に記載の液面センサ装置であって、
前記収容体には、地盤に埋設されない位置に前記収容空間と外部とを連通する連通孔が形成されている
ことを特徴とする液面センサ装置。
【請求項５】
請求項１から４のいずれか一項に記載の液面センサ装置と、
前記液面センサ装置の前記液面センサに接続され、前記液面センサの検出結果に基づいて前記液体を供給する自動給液装置と、
を備えることを特徴とする自動給液システム。
【手続補正２】
【補正対象書類名】明細書
【補正対象項目名】０００７
【補正方法】変更
【補正の内容】
【０００７】
上記課題を解決するために、この発明は以下の手段を提案している。
本発明の液面センサ装置は、液体の液面の位置を検出する液面センサと、前記液面センサに接続されるリード線と、軸線方向の端部に開口が形成され内部に前記液面センサを収容する収容空間が形成された収容体と、前記収容体の開口を覆う蓋部と、を備え、前記収容体の端部には、前記収容体の側面から前記収容空間に達するとともに前記収容体の軸線方向に延びる切欠きが形成され、前記切欠きは、前記蓋部が前記収容体の開口を覆った状態で少なくとも一部が前記蓋部の外部に露出し、前記リード線が前記収容体の外部に引き出されていることを特徴としている。
この発明によれば、液面センサは収容体内に収容されているため、風雨等により液面センサが破損するのを防いだり、ごみ等による液面センサの精度の低下を防いだりすることができる。
また、収容体の開口を覆う蓋部を備え、収容体に形成された切欠きのうち蓋部から露出する部分から、液面センサのリード線等を収容体の外部に引き出すので、収容体内にゴミ等の異物を入りにくくすることができる。